(57)【要約】【課題】リールフットから指部に受ける反力を良好に吸収することができる釣り用手袋を提供する。【解決手段】手袋本体に互いに隣り合う複数本の指部８，９，１０を備えた釣り用手袋であって、複数本の指部８，９，１０のうちの互いに隣り合う少なくとも１組の指部８，９が、少なくとも第１関節を覆う長さとなるように手袋本体から延出され、１組の指部８，９における互いに対向する側面部８３，９４に、クッション材８３Ｃ，９４Ｃを備えた。【選択図】図４
2015034356.tif 000002
【特許請求の範囲】
【請求項１】
手袋本体に互いに隣り合う複数本の指部を備えた釣り用手袋であって、
前記複数本の指部のうちの互いに隣り合う少なくとも１組の指部が、着用者の指の少なくとも第１関節を覆う長さとなるように前記手袋本体から延出され、前記１組の指部における互いに対向する側面部のうちの少なくとも一方の側面部に、クッション材を備えたことを特徴とする釣り用手袋。
【請求項２】
前記クッション材を備える側面部は、一方の指部の側面部からこれと隣り合う他方の指部の側面部まで亘る長さの一枚の表生地とこの表生地に縫い付けられる一枚の裏生地とで構成され、該表生地と該裏生地とで形成される空間内に、前記クッション材が配置されていることを特徴とする請求項１に記載の釣り用手袋。
【請求項３】
前記クッション材は、前記一方の指部と前記他方の指部とにそれぞれ配置され、前記各指部のクッション材は、着用者の指の第１関節を覆う長さの指部の上端部分から指部の付け根付近までの長さに設定されていることを特徴とする請求項２に記載の釣り用手袋。
【発明の詳細な説明】
【技術分野】
【０００１】
本発明は、釣り用手袋に関する。
【背景技術】
【０００２】
手袋としては、例えばゴルフ、野球、テニス、自転車、バイクあるいは釣り等の際に着用するスポーツ手袋が既に提案されている。このスポーツ手袋は、中指部、薬指部、小指部の３本の指部それぞれの掌側の面に、衝撃力を吸収するための発泡ゴムを取り付けて構成されている。このスポーツ手袋を手に着用し、例えばゴルフクラブを握ってゴルフボールを打撃したときの手に伝わる衝撃力を掌側の面に取り付けた発泡ゴムで吸収することができるようにしている（例えば、特許文献１参照）。
【先行技術文献】
【特許文献】
【０００３】
【特許文献１】特開２００６−２６５８０４号公報
【発明の概要】
【発明が解決しようとする課題】
【０００４】
ところで、上記スポーツ手袋を着用して釣りを行う場合には、例えば図３に示すように、右利きの人が右手で竿を握った状態において、リール１２のリールフット１３を２本の指部（図３では中指部と薬指部と）８，９の互いに対向する側面部８３，９４（図４参照）で挟み込んで竿１１を保持する。この状態で釣れた魚を取り込むためにリールを巻き上げる際に、２本の指部８，９の側面部８３，９４にリールフット１３から大きな反力（衝撃力）を受けることになるが、この反力を上記スポーツ手袋では良好に吸収することができない。なぜならば、上記スポーツ手袋では、掌側の面にしか発泡ゴムを備えていないため、２本の指部８，９の側面部８３，９４に加わる反力をスポーツ手袋の薄い生地でしか吸収することができず、反力を良好に吸収できない。特に、釣りは長い時間行うことが多いため、２本の指部の側部に何度も反力が加わることになり、快適な釣りを行うことができない。
【０００５】
本発明は、前述の状況に鑑みてなされ、リールフットから指部に受ける反力を良好に吸収することができる釣り用手袋を提供することにある。
【課題を解決するための手段】
【０００６】
本発明の釣り用手袋は、前述の課題解決のために、手袋本体に互いに隣り合う複数本の指部を備えた釣り用手袋であって、前記複数本の指部のうちの互いに隣り合う少なくとも１組の指部が、着用者の指の少なくとも第１関節を覆う長さとなるように前記手袋本体から延出され、前記１組の指部における互いに対向する側面部のうちの少なくとも一方の側面部に、クッション材を備えたことを特徴としている。
【０００７】
本発明によれば、リールフットを挟み込む１組の指部における互いに対向する側面部のうちの少なくとも一方の側面部に、クッション材を備えることによって、着用した釣り用手袋で竿を握った状態において、釣れた魚を取り込むためにリールを巻き上げる際に、リールフットから受ける反力をクッション材で吸収して和らげることができる。
【０００８】
また、本発明の釣り用手袋は、前記クッション材を備える側面部は、一方の指部の側面部からこれと隣り合う他方の指部の側面部まで亘る長さの一枚の表生地とこの表生地に縫い付けられる一枚の裏生地とで構成され、該表生地と該裏生地とで形成される空間内に、前記クッション材が配置されていてもよい。
【０００９】
上記のように、表生地と裏生地とで形成される空間内に、クッション材を配置すれば、クッション材が表生地でカバーされているので、表生地の表面にクッション材を配置する場合に比べて、クッション材を長期間に亘って良好に使用することができる。
【００１０】
また、本発明の釣り用手袋は、前記クッション材は、前記一方の指部と前記他方の指部とにそれぞれ配置され、前記各指部のクッション材は、着用者の指の第１関節を覆う長さの指部の上端部分から指部の付け根付近までの長さに設定されていてもよい。
【００１１】
上記のように、指部の付け根にクッション材が存在しないため、釣り用手袋を着用した使用状態において、指部間に違和感がなく、自然な状態で手袋を着用することができる。
【発明の効果】
【００１２】
本発明のように、１組の指部における互いに対向する側面部のうちの少なくとも一方の側面部に、クッション材を備えることによって、リールフットから指部に受ける反力を良好に吸収することができる釣り用手袋を提供することができる。
【図面の簡単な説明】
【００１３】
【図１】本発明の釣り用手袋を示し、（ａ）は掌側から見た正面図、（ｂ）は手の甲側から見た背面図である。
【図２】本発明の釣り用手袋に備えるクッション材を示し、（ａ）は要部の縦断面図、（ｂ）は（ａ）の要部を展開した平面図である。
【図３】リールのリールフットに指部を掛けている状態を示す側面図である。
【図４】リールのリールフットに指部を掛けている状態を示す要部の拡大側面図である。
【図５】本発明の釣り用手袋の他の実施形態を示し、（ａ）は掌側から見た正面図、（ｂ）は手の甲側から見た背面図である。
【図６】本発明の釣り用手袋に備えるクッション材の他の実施形態を示す要部の断面図である。
【発明を実施するための形態】
【００１４】
以下、本発明の釣り用手袋を図面に基づいて説明する。
【００１５】
図１（ａ），（ｂ）に、右手用（右利き用）の釣り用手袋（以下、単に手袋という）１を示している。尚、左手用（左利き用）の釣り用手袋も、同様であり、図示及び説明は省略する。手袋１は、手の甲を覆う甲部２と掌を覆う掌部３とからなる手袋本体４と、手袋本体４の一端（下端）に備えた手首を覆う手首部５と、手袋本体４の他端（上端）に備えた５本の指部６，７，８，９，１０とを備えている。
【００１６】
５本の指部６，７，８，９，１０は、親指部６、人差し指部７、中指部８、薬指部９、小指部１０からなる。人差し指部７のみが人差し指の全体を覆う長さに構成され、他の指部６，８，９，１０は、途中で切断されて指の先端が指部６，８，９，１０から露出するようになっている。
【００１７】
中指部８、薬指部９、小指部１０は、指の第１関節までを覆うことができる長さに設定されている。この長さは、図３に示すように、手袋１を装着した右手で竿１１を握った状態において、リール１２のリールフット１３を中指部８と薬指部９の互いに対向する側面部８３，９４で挟み込んで竿１１を保持したとき、中指部８と薬指部９の側面部８３，９４が接触することができる最低必要となる長さである。また、指部８，９，１０から指先を露出することができるから、釣糸を結ぶ、あるいは釣針に餌を取り付ける等、指先を使う細かい作業がし易い利点もある。
【００１８】
図４に示すように、中指８Ｆを覆う中指部８は、４つの部材からなり、指の腹側となる内側部８１と、指の甲側となる外側部８２と、これら内側部８１と外側部８２とを連結するとともに左右両側に位置する左右の側面部８３，８４とからなっている。これら４つの部材は、周方向両端を内側に折り込んで、互いに隣り合う端部同士を重ね合わせて縫い付けることによって、連結されている。
【００１９】
内側部８１は、表生地８１Ａと、裏生地８１Ｂと、これら両生地８１Ａ，８１Ｂ間に収容されるクッション材８１Ｃとからなっている。外側部８２は、耐久性アップのために先端部分のみ三枚の生地８２Ａ，８２Ｂ，８２Ｃが重ね合わされて構成されている。左右の側面部８３，８４は、内側部８１と同様に表生地８３Ａ，８４Ａと、裏生地８３Ｂ，８４Ｂと、これら両生地８３Ａ，８３Ｂ、８４Ａ，８４Ｂ間に収容されるクッション材８３Ｃ，８４Ｃとからなっている。
【００２０】
薬指９Ｆを覆う薬指部９は、中指部８と同様に、４つの部材からなり、指の腹側となる内側部９１と、指の甲側となる外側部９２と、これら内側部９１と外側部９２とを連結するとともに左右両側に位置する左右の側面部９３，９４とからなっている。これら４つの部材は、周方向両端を内側に折り込んで、互いに隣り合う端部同士を重ね合わせて縫い付けることによって、連結されている。
【００２１】
内側部９１は、表生地９１Ａと、裏生地９１Ｂと、これら両生地９１Ａ，９１Ｂ間に収容されるクッション材９１Ｃとからなっている。外側部９２の先端部分は、耐久性アップを図るために先端部分のみ三枚の生地９２Ａ，９２Ｂ，９２Ｃが重ね合わされて構成されている。左右の側面部９３，９４は、内側部９１と同様に表生地９３Ａ，９４Ａと、裏生地９３Ｂ，９４Ｂと、これら両生地９３Ａ，９３Ｂ、９４Ａ，９４Ｂ間に収容されるクッション材９３Ｃ，９４Ｃとからなっている。
【００２２】
小指部１０は、３つの部材からなり、指の腹側となる内側部１０１と、薬指部９の側面部９３に対向する側面部１０２と、内側部１０１と側面部１０２とを連結するとともに薬指部９の側面部９３から離れる側の側面部まで覆うサイズに構成された指の甲側となる外側部１０３とからなっている。これら３つの部材は、周方向両端を内側に折り込んで、互いに隣り合う端部同士を重ね合わせて縫い付けることによって、連結されている。
【００２３】
内側部１０１は、表生地１０１Ａと、裏生地１０１Ｂの二枚の生地が重ね合わされて構成されている。外側部１０３も同様に、耐久性アップを図るために先端部分のみ三枚の生地１０３Ａ，１０３Ｂ，１０３Ｃが重ね合わされて構成されている。薬指部側の側面部１０２は、表生地１０２Ａと、裏生地１０２Ｂと、これら両生地１０２Ａ，１０２Ｂ間に収容されるクッション材１０２Ｃとからなっている。
【００２４】
中指部８と薬指部９の互いに対向する２つの側面部８３，９４は、図２（ａ），（ｂ）（図２（ａ）は、掌側から見た側面部の概略図、図２（ｂ）は、図２（ａ）の２つの側面部８３，９４を付け根部で広げた２つの側面部８３，９４の平面図）に示すように、指の付け根で繋がっている。つまり、中指部８の側面部８３の表生地８３Ａとこれと隣り合う薬指部９の側面部９４の表生地９４Ａとが一枚の表生地８Ａからなり、かつ、中指部８の側面部８３の裏生地８３Ｂとこれと隣り合う薬指部９の側面部９４の裏生地９４Ａとが一枚の裏生地９Ａからなっている。これら表生地８Ａと裏生地９Ａとが縫い付けられて（図２（ａ），（ｂ）で上端の縫い付け位置８３Ｓ，９４Ｓを示している）形成される空間内に、クッション材８３Ｃ，９４Ｃが配置されている。また、薬指部９と小指部１０の互いに対向する２つの側面部９３，１０２も前記と同様に、図２（ａ），（ｂ）に示すように、指の付け根で繋がっている。つまり、薬指部９の側面部９３の表生地９３Ａとこれと隣り合う小指部１０の側面部１０２の表生地１０２Ａとが一枚の表生地１０Ａからなり、かつ、薬指部９の側面部９３の裏生地９３Ｂとこれと隣り合う小指部１０の側面部１０２の裏生地１０２Ｂとが一枚の裏生地１０Ｂからなっている。これら表生地１０Ａと裏生地１０Ｂとが縫い付けられて形成される空間内に、クッション材９３Ｃ，１０２Ｃが配置されている。
【００２５】
各クッション材８３Ｃ，９４Ｃ，９３Ｃ，１０２Ｃは、指部８，９，１０の指先側となる上端部分から指部８，９，１０の付け根Ｔ付近までの長さに設定されている。従って、指部８，９，１０の付け根Ｔにクッション材８３Ｃ，９４Ｃ，９３Ｃ，１０２Ｃが存在しないため、手袋１を着用した使用状態において、指８Ｆ，９Ｆ，１０Ｆと指部８，９，１０の付け根Ｔに隙間Ｈを形成することができ、指部８，９及び９，１０間に違和感がなく、自然な状態で手袋を着用することができる。
【００２６】
クッション材８３Ｃ，９４Ｃ，９３Ｃ，１０２Ｃは、低反発ウレタンフォームから構成されているが、スポンジや布等で構成されていてもよい。また、指部６〜１０及び手袋本体４並びに手首部５を構成する生地の材料としては、合成皮革、皮、ダブルラッセルメッシュ材、各種ゴム材等を適宜用いることができる。
【００２７】
図２（ｂ）に示すように、クッション材８３Ｃ，９４Ｃ（９３Ｃ，１０２Ｃも同様である）は、指（図では中指と薬指）の第２関節部分に相当する部分に切り込み８３Ｖ，９４Ｖが形成されている。また、指部７〜１０の甲側の第２関節部分に相当する部分が曲げ易いように該部分に折れ曲がり部７Ｖ〜１０Ｖを設けている。これら折れ曲がり部７Ｖ〜１０Ｖは、同一構成であるため、小指部１０に設けた折れ曲がり部１０Ｖについてのみ説明する。この折れ曲がり部１０Ｖは、横長状の開口１０Ｋを形成し、この開口１０Ｋを閉じる生地１０Ｍとから構成されている。このようにクッション材８３Ｃ，９４Ｃに切り込み８３Ｖ，９４Ｖを形成すると共に、人差し指部７〜小指部１０の甲側の第２関節部分に折れ曲がり部７Ｖ〜１０Ｖを設けることによって、装着した手袋１の指部７〜１０を曲げやすくしている。尚、切り込み７Ｖ〜１０ＶはＶ字状に構成され、図では仰角θ１を４５°に設定し、俯角θ２を３０°に設定しているが、これに限定されるものではない。
【００２８】
図３に示すリール１２は、スプール１４を備えるリール本体１５と、リール本体１５を竿１１の取付部１１Ａに固定するためのリールフット１３とを備えている。リールフット１３は、竿１１の取付部１１Ａに固定される前後に長い固定部１３Ａと、この固定部１３Ａとリール本体１５とを連結する縦向きの連結部１３Ｂとから構成されている。
【００２９】
前述のように構成された手袋１を装着した右手で、図３に示すように、竿１１を握った状態において、リール１２のリールフット１３の連結部１３Ｂを２本の指部（図３では中指部と薬指部と）８，９の互いに対向する側面部８３，９４（図４参照）で挟み込んで竿１１を保持する。この状態で釣れた魚を取り込むためにリール１２のハンドル１２Ｈを左手で操作して巻き上げる際に、２本の指部８，９の側面部８３，９４にリールフット１３から大きな反力（衝撃力）を受けることになるが、この反力を図４に示すように、側面部８３，９４に備えたクッション材８３Ｃ，９４Ｃが良好に吸収して和らげることができる。図４では、中指部８と薬指部９とでリールフット１３の連結部１３Ｂを挟み込んでいるが、薬指部９と小指部１０とでリールフット１３の連結部１３Ｂを挟み込んだ場合でも同様に、２本の指部９，１０の側面部９３，１０２にリールフット１３から大きな反力（衝撃力）を側面部９３，１０２に備えたクッション材９３Ｃ，１０２Ｃが良好に吸収して和らげることができる。また、この実施形態では、リールフット１３の連結部１３Ｂから受ける反力をクッション材８３Ｃ，９４Ｃが良好に吸収する他、リールフット１３の固定部１３Ａに接触する内側部８１，９１に伝わる反力を、内側部８１，９１に備えるクッション材８１Ｃ，９１Ｃが良好に吸収して和らげることができる。
【００３０】
本発明の手袋１は、上記実施形態に限定されるものではない。例えば、前記実施形態では、中指部８、薬指部９、小指部１０を指の第１関節まで覆うことができる長さにし、それら三本の指部８，９，１０の互いに隣り合う側面部８３，９４、９３，１０２にクッション材８３Ｃ，９４Ｃ，１０２Ｃを備えたが、図５（ａ），（ｂ）に示すように、中指部８、薬指部９を指の第１関節まで覆うことができる長さにし、それら二本の指部８，９の互いに隣り合う側面部８３，９４にクッション材を備えて実施してもよい。また、二本の指部（図５（ａ），（ｂ）では、中指部８と薬指部９）の互いに隣り合う側面部８３，９４のうちの一方の側面部８３又は９４にのみクッション材を備えて実施することもできる。また、図５（ａ），（ｂ）では、クッション材を備えていない人差し指部７及び小指部１０を第２関節で切断した長さにしている。また、五本の指部の長さは、どのような長さに設定してもよく、要するに、クッション材を備える指部は、指の付け根から第１関節以上の長さであれば、どのような長さであってもよい。勿論、クッション材を備えていない指部は、どのような長さであってもよい。
【００３１】
また、前記実施形態では、五本の指部を備えた手袋を示したが、五本全てを備えている手袋でなくてもよい。要するに、隣り合う複数本（二本以上）の指部を備えた手袋であればよい。
【００３２】
また、前記実施形態では、例えば隣り合う指部８，９の相対向する側面部８３，９４のそれぞれに、クッション材８３Ｃ，９４Ｃを設けたが、図６に示すように、隣り合う指部の相対向する側面部８３，９４の一方の側面部８３から他方の側面部９４まで亘る長さのクッション材１６を設けてもよい。このクッション材１６は、指部の付け根の部分Ｄの厚みｄを他の部分８３Ｄ，９４Ｄの厚みｄ１よりも薄くして実施することが好ましい。
【符号の説明】
【００３３】
１…手袋、２…甲部、３…掌部、４…手袋本体、５…手首部、６，７，８，９，１０…指部、１１…竿、１１Ａ…取付部、１２…リール、１２      リールフット
１２Ａ…固定部、１２Ｈ…ハンドル、１３…リールフット、１３Ａ…固定部、１３Ｂ…連結部、１４…スプール、１５…リール本体、１６…クッション材、８１，９１…内側部、８１Ａ，８１Ｂ，９１Ａ，９１Ｂ…生地、８１Ｃ，９１Ｃ…クッション材、８２…外側部、８２Ａ，８２Ｂ，８２Ｃ…生地、８３，８４，９４…側面部、８３Ｖ，９４Ｖ…クッション材、８３Ａ，８３Ｂ…生地、８３Ｃ…クッション材、８３ｔ…指先側端部
【図１】
2015034356.tif 000003
【図２】
2015034356.tif 000004
【図３】
2015034356.tif 000005
【図４】
2015034356.tif 000006
【図５】
2015034356.tif 000007
【図６】
2015034356.tif 000008